(57)【要約】      （修正有）【課題】遮断器をラックに入れた後に容易に遮断器カセットに収納可能なラッキングハンドルを提供する。【解決手段】電源を電気的負荷に接続したり、電気的負荷から切り離したりするように構成された複数の接点を有する引出形回路遮断器と、引出形回路遮断器の動作構成要素を収容する引き出し支持板２０、ならびにポート２５を備える遮断器カセットからなる引出形回路遮断器において、回路遮断器を遮断器カセットのラックに入れられた後に、収縮されてポート内に収納される、収縮可能な伸縮式ラッキングハンドル３０を有する。前記収縮可能な伸縮式ラッキングハンドルを、前記ポートから取り出した後、前記引出形回路遮断器を前記遮断器カセットのラックに入れるために、折り曲げてＺ字形にロックすることが可能であってもよい。【選択図】図９
2009261238.tif 000002
【特許請求の範囲】
【請求項１】
電源を電気的負荷に接続したり、電気的負荷から切り離したりするように構成された複数の接点を有する引出形回路遮断器と、
前記引出形回路遮断器の動作構成要素を収容する引き出し支持板と、ポートとを備える遮断器カセットと、
前記引出形回路遮断器が前記遮断器カセットのラックに入れられた後に、収縮されて前記ポート内に収納される、収縮可能な伸縮式ラッキングハンドルと、を備える引出形回路遮断器アセンブリ。
【請求項２】
前記収縮可能な伸縮式ラッキングハンドルを、前記ポートから取り出した後、前記引出形回路遮断器を前記遮断器カセットのラックに入れるために、折り曲げてＺ字形にロックすることが可能である、請求項１に記載の引出形回路遮断器アセンブリ。
【請求項３】
前記収縮可能な伸縮式ラッキングハンドルは、
前記引出形回路遮断器が前記遮断器カセットのラックに入れられる際に前記遮断器カセットのラッキング軸に連結されるように構成されたラッキング軸アームと、
前記ラッキング軸アームに連結されて、前記引出形回路遮断器の、前記遮断器カセットのラックへの出し入れを支援する機械式アームと、
前記機械式アームを内部で受ける伸縮式アームと、を備える、請求項１又は２に記載の引出形回路遮断器アセンブリ。
【請求項４】
前記収縮可能な伸縮式ラッキングハンドルはさらに、
前記収縮可能な伸縮式ラッキングハンドルを回して、前記引出形回路遮断器を前記遮断器カセットのラックに出し入れするために、ユーザによって把持されるように構成された把持スリーブと、
前記収縮可能な伸縮式ラッキングハンドルを使用する際に、前記収縮可能な伸縮式ラッキングハンドルを前記ポートから引っ張り出すための引っ張りグリップとを備える、請求項３に記載の引出形回路遮断器アセンブリ。
【請求項５】
前記ラッキング軸アームは、
前記遮断器カセットの前記ラッキング軸に連結される第１の端部と、
前記機械式アームに対して旋回してロックされる第２の端部とを備える、請求項３に記載の引出形回路遮断器アセンブリ。
【請求項６】
前記機械式アームは、
前記機械式アームの第１の端部に配置されて、前記ラッキング軸アームに連結された、ばね装架された玉であって、前記ラッキング軸アームを、前記ラッキング軸アームと前記機械式アームとの間の９０°の折り曲げ位置でロックする、前記ばね装架された玉と、
前記機械式アームの第２の端部にある溝に配置されたピンとを備え、前記第２の端部は、平坦面を有し、前記ピンを介して前記伸縮式アームおよび前記把持スリーブに連結され、前記ピンは、前記伸縮式アームがロックされた位置にあるときに、前記伸縮式アームおよび前記把持スリーブを停止させる、請求項５に記載の引出形回路遮断器アセンブリ。
【請求項７】
前記機械式アームおよび前記伸縮式アームは、前記ラッキング軸アームと前記機械式アームとの間の９０°折り曲げ位置に対して直角の方向の９０°折り曲げ位置で折り曲げられる、請求項６に記載の引出形回路遮断器アセンブリ。
【請求項８】
前記ラッキング軸アームが前記遮断器カセットの前記ラッキング軸と連結され、前記伸縮式アームおよび前記把持スリーブが前記ユーザによって把持されると、前記収縮可能な伸縮式ラッキングハンドルを、前記引出形回路遮断器が前記遮断器カセットのラックに収められる場合には時計回り方向に回すことが可能であり、前記引出形回路遮断器が前記遮断器カセットのラックから引き出される場合には反時計回り方向に回すことが可能である、請求項７に記載の引出形回路遮断器アセンブリ。
【請求項９】
前記収縮可能な伸縮式ラッキングハンドルの、前記ポートに収納される際の長さは、前記引出形回路遮断器を前記遮断器カセットのラックに入れる際の前記収縮可能な伸縮式ラッキングハンドルの長さより短い、請求項１乃至８のいずれか１項に記載の引出形回路遮断器アセンブリ。
【請求項１０】
前記収縮可能な伸縮式ラッキングハンドルが使用時に取り出されると、力をかけて前記ピンをスライドさせることにより、前記機械式アームが前記伸縮式アームの内部から引き出され、前記収縮可能な伸縮式ラッキングハンドルがＺ字形に折り曲げられて、前記引出形回路遮断器が前記遮断器カセットのラックに出し入れされる、請求項６に記載の引出形回路遮断器アセンブリ。
【発明の詳細な説明】
【技術分野】
【０００１】
本発明は、回路遮断器に関する。特に、本発明は、伸縮式ラッキングハンドルを有する引出形気中回路遮断器アセンブリに関する。
【背景技術】
【０００２】
一般に、気中回路遮断器は、環境に対して主に露出している機械的動作構成要素を含んでいる。気中回路遮断器は、主接点を含んでおり、主接点は、電力が電源から負荷へ伝わる経路を遮断するために開かれるか、電力が電源から負荷へ伝わる経路を提供するために閉じられ、プラスチック製ハウジング内に配置されている。前記ハウジング内にアークチャンバが配置され、アークチャンバは、接点の開閉時に発生するアークを消孤するために用いられる。引出形気中回路遮断器は可動なので、電源および負荷回路から分離して保守を容易にすることができる。
【０００３】
引出形気中回路遮断器は、遮断器カセットのラックに回路遮断器を出し入れするために、ラッキングハンドルを含んでいる。ラッキングハンドルは、回路遮断器を遮断器カセットのラックに入れるために用いられ、その後、収納される。引出形気中回路遮断器の従来のラッキングハンドルには、いくつかの欠点がある。欠点の１つは、遮断器カセット内の、ラッキングハンドルの収納スペースが、他の可動部分または静止部分への干渉のために限定されることである。別の欠点は、定格電流が高いフレームを従来のラッキングハンドルでラックに入れるのが困難なことである。これは、定格電流が高くなるにつれて、一次断路接点の数が増えるために、ラックに入れる操作の際に外から力をかけなければならないためである。
【発明の概要】
【発明が解決しようとする課題】
【０００４】
従って、回路遮断器をラックに入れた後に容易に収納可能であって、定格電流が高いフレームを容易にラックに入れることを可能にするための大きな機械的優位性を有するラッキングハンドルが求められている。
【課題を解決するための手段】
【０００５】
本発明の一例示的実施形態は、引出形回路遮断器アセンブリを提供する。この引出形回路遮断器アセンブリは、電源を電気的負荷に接続したり、電気的負荷から切り離したりするように構成された複数の接点を有する引出形回路遮断器と、引出形回路遮断器の動作構成要素を収容する引き出し支持板と、ポートとを含む遮断器カセットと、引出形回路遮断器が遮断器カセットのラックに入れられた後に、収縮されてポート内に収納される、収縮可能な伸縮式ラッキングハンドルと、を含む。
【０００６】
本発明の別の例示的実施形態は、引出形回路遮断器を遮断器カセットのラックに出し入れする方法を提供する。この方法は、遮断器カセット内のポートから、収縮可能な伸縮式ラッキングハンドルを取り出すことと、収縮可能な伸縮式ラッキングハンドルをＺ字形に折り曲げることと、収縮可能な伸縮式ラッキングハンドルのラッキング軸アームを、遮断器カセットのラッキング軸に連結することと、引出形回路遮断器を遮断器カセットのラックに出し入れすることと、収縮可能な伸縮式ラッキングハンドルをポートに収納するために、このラッキングハンドルを収縮させることと、を含む。
【０００７】
本発明のさらなる特徴および利点は、本発明の教示内容から明らかとなる。本発明のその他の実施形態および態様を、本明細書において詳細に説明するが、それらは特許請求の範囲に記載の発明の一部にすぎない。本発明をその利点および特徴とともにさらに理解するには、以下の説明および添付図面を参照されたい。
【図面の簡単な説明】
【０００８】
【図１】本発明の実施形態において実装可能な引出形回路遮断器アセンブリの右斜視図である。
【図２】本発明の実施形態において実装可能な、閉位置にある回路遮断器の側面図である。
【図３】本発明の実施形態において実装可能な、図１の引出形回路遮断器アセンブリの遮断器カセットの斜視図である。
【図４】本発明の実施形態において実装可能な伸縮式ラッキングハンドルの詳細図である。
【図５】本発明の実施形態において実装可能な、図４の伸縮式ラッキングハンドルの斜視図である。
【図６】本発明の実施形態において実装可能な、図４の伸縮式ラッキングハンドルの別の斜視図である。
【図７】本発明の実施形態において実装可能な、収縮された状態の伸縮式ラッキングハンドルの斜視図である。
【図８】本発明の実施形態において実装可能な、図７の伸縮式ラッキングハンドルの断面図である。
【図９】本発明の実施形態において実装可能な、収納されつつある伸縮式ラッキングハンドルの斜視図である。
【図１０】本発明の実施形態において実装可能な、収納位置にある伸縮式ラッキングハンドルの斜視図である。
【図１１】本発明の実施形態において実装可能な、収納位置にある伸縮式ラッキングハンドルの別の斜視図である。
【発明を実施するための形態】
【０００９】
以下、図面を詳細に参照していく。図１は、引出形気中回路遮断器アセンブリ１００を示しており、アセンブリ１００は、引出形回路遮断器１０および遮断器カセット１５を含んでいる。引出形回路遮断器１０は、本体１１と側部１２および１３とを含んでいる。さらに、回路遮断器１０は、滑走部材１６ａおよび１６ｂを有する取り付け板１４を側部１３に含んでおり、（図３に示した）引き出し支持板２０の支持レール２８に取り付けられている。回路遮断器１０は、遮断器カセット１５のラックに入れられようとしている位置にある。
【００１０】
図２は、図１の回路遮断器の右斜視図である。図２では、引出形気中回路遮断器１０は、電源を電気的負荷に接続したり、電気的負荷から切り離したりするように構成された複数の接点を有している。回路遮断器１０は、電気回路（図示せず）と接続される複数の導体１７および１８を含んでいる。回路遮断器１０は、引き出し位置にあるときには、（図３に示した）引き出し支持板２０上にあって、電気回路と接続されたり、電気回路から切断されたりするように動く。導体１７は、電流が回路遮断器１０を流れることを可能にし、導体１８は、その後に、電流が電気回路および負荷に送られることを可能にする。
【００１１】
図３は、本発明の実施形態において実装可能な、図１の引出形回路遮断器アセンブリの遮断器カセットの斜視図である。図３に示すように、遮断器カセット１５は、引出形気中回路遮断器１０の動作構成要素を収容する引き出し支持板２０と、引き出し支持板２０内に配置されたポート２５とを備えている。引出形気中回路遮断器１０が、支持レール２８を介して遮断器カセット１５のラックに入れられたときに、（例えば、図４に示した）収縮可能な伸縮式ラッキングハンドルをポート２５に収納することが可能である。
【００１２】
図４は、本発明の実施形態において実装可能な伸縮式ラッキングハンドルの詳細図である。図４では、伸縮式ラッキングハンドル３０が、引出形気中回路遮断器１０が遮断器カセット１５のラックに入れられる際に遮断器カセット１５のラッキング軸３８に連結されるように構成されたラッキング軸アーム３５を備えている。伸縮式ラッキングハンドル３０はさらに、ラッキング軸アーム３５に連結されて、引出形気中回路遮断器１０の、遮断器カセット１５のラックへの出し入れを支援する機械式アーム４０と、把持スリーブ４５を有し、伸縮式ラッキングハンドル３０が収納のために収縮されたときに機械式アーム４０を把持スリーブ４５で受ける伸縮式アーム５０とを備えている。把持スリーブ４５は、伸縮式ラッキングハンドル３０を回して、引出形気中回路遮断器１０を遮断器カセット１５のラックに出し入れするために、ユーザによって把持される。一例示的実施形態によれば、伸縮式ラッキングハンドル３０はさらに、伸縮式ラッキングハンドルを使用する際に、伸縮式ラッキングハンドルをポート２５から引っ張り出すための引っ張りグリップ５５を備えている。
【００１３】
本発明の一例示的実施形態によれば、伸縮式ラッキングハンドル３０は、ポート２５から取り出されて、伸縮部分（すなわち、機械式アーム４０および伸縮式アーム５０）を伸ばすことによって伸張された後、引出形気中回路遮断器１０を遮断器カセット１５のラックに出し入れするために、折り曲げられて、Ｚ字形にロックされる。図５および６は、本発明の実施形態において実装可能な、図４の伸縮式ラッキングハンドルの斜視図である。図５および６に示すように、伸縮式ラッキングハンドル３０は、Ｚ字形に折り曲げられる。図示の例示的実施形態によれば、伸縮式ラッキングハンドル３０は、ポート２５から取り出された後、引出形気中回路遮断器１０を遮断器カセット１５のラックに入れるために、折り曲げられて、Ｚ字形にロックされる。
【００１４】
本発明の一例示的実施形態によれば、ラッキング軸アーム３５は、遮断器カセット１５の（図３に描かれた）ラッキング軸３８に連結される第１の端部３５ａと、機械式アーム４０に対して旋回してロックされる第２の端部３５ｂとを備えている。本発明の一例示的実施形態によれば、ラッキング軸アーム３５の第１の端部３５ａは、遮断器カセット１５のラッキング軸３８の六角形のくぼみと嵌合する、六角形の輪郭を含んでおり、第２の端部３５ｂは、機械式アーム４０に対して旋回してロックされる平坦部分３９を含んでいる。機械式アーム４０は、機械式アーム４０の第１の端部４０ａに配置されて、ラッキング軸アーム３５の第２の端部３５ｂに連結された、ばね装架された玉６０を備えている。ばね装架された玉６０は、ラッキング軸アーム３５を９０°の折り曲げ位置でロックする。さらに、図６に示すように、機械式アーム４０の第２の端部４０ｂにある溝７０にピン６５が配置され、ピン６５は、伸縮式アーム５０の案内部材として動作する。第２の端部４０ｂは、平坦面を含んでおり、ピン６０を介して、伸縮式アーム５０および把持スリーブ４５に連結されている。一例示的実施形態によれば、機械式アーム４０の第２の端部４０ｂは、ピン６５を介して、伸縮式アーム５０および把持スリーブ４５に溶接されていてよい。さらに、ピン６５は、ストッパとして動作し、伸縮式アーム５０および把持スリーブ４５がロックされた位置にあるときにはこれらを停止させ、伸縮式ラッキングハンドル３０の、Ｚ字形姿勢での安定を保つ。
【００１５】
さらに、図５および６に示す例示的実施形態によれば、機械式アーム４０および伸縮式アーム５０は、ラッキング軸アーム３５と機械式アーム４０との間の９０°折り曲げ位置に対して直角の方向の９０°折り曲げ位置で折り曲げられている。
【００１６】
引出形気中回路遮断器１０を遮断器カセット１５のラックに出し入れする場合には、ラッキング軸アーム３５と遮断器カセット１５のラッキング軸３８とを連結し、伸縮式アーム５０および把持スリーブ４５を把持する。そして、引出形気中回路遮断器１０を遮断器カセット１５のラックに収める場合は、伸縮式ラッキングハンドル３０を時計回り方向に回し、引出形気中回路遮断器１０を遮断器カセット１５のラックから引き出す場合は、伸縮式ラッキングハンドル３０を反時計回り方向に回す。
【００１７】
図７は、本発明の実施形態において実装可能な、図４の伸縮式ラッキングハンドル３０を収縮させた状態を示す斜視図である。本発明の一例示的実施形態によれば、伸縮式ラッキングハンドル３０の収納時には、まず、外力を加えて、伸縮式ラッキングハンドル３０の（図５および６に示した）Ｚ字形を崩して、図７に示すような、伸長した状態にする。次に、伸縮式アーム５０を傘のような要領で収縮させて、機械式アーム４０を伸縮式アーム５０の中で受ける。すなわち、図７に示すように、伸縮式ラッキングハンドル３０は、機械式アーム４０と伸縮式アーム５０との間の連結において軸方向に収縮され、機械式アーム４０が伸縮式アーム５０の管状部分に挿入される。
【００１８】
本発明の一例示的実施形態によれば、伸縮式ラッキングハンドル３０の、ポート２５に収納される際の長さは、引出形回路遮断器１０を遮断器カセット１５のラックに入れる際の伸縮式ラッキングハンドル３０の長さより短い。すなわち、伸縮式ラッキングハンドル３０は収縮可能なので、伸縮式ラッキングハンドル３０をポート２５に容易に収納することを可能にするために、伸縮式ラッキングハンドル３０の長さが短くなる。
【００１９】
図８は、図７に示した、収縮した状態の伸縮式ラッキングハンドル３０を示す断面図である。図８に示すように、機械式アーム４０は、伸縮式アーム５０の内側に位置している。伸縮式ラッキングハンドル３０を利用する場合は、力をかけてピン６５をスライドさせることにより、機械式アーム４０を伸縮式アーム５０の内部から引き出し、伸縮式ラッキングハンドル３０をＺ字形に折り曲げて（図５および６を参照）、引出形気中回路遮断器１０を遮断器カセット１５のラックに出し入れする。
【００２０】
図９は、本発明の実施形態において実装可能な、収納されつつある伸縮式ラッキングハンドルを示す斜視図である。図９に示すように、収縮された状態の伸縮式ラッキングハンドル３０は、引出形気中回路遮断器１０が遮断器カセット１５のラックに入れられた後に、収納のために、遮断器カセット１５のポート２５に挿入される。伸縮式ラッキングハンドル３０は、まず、ラッキング軸アーム３５がポート２５に挿入され、その後、伸縮式アーム５０が挿入されるように配置される。
【００２１】
図１０は、本発明の実施形態において実装可能な、収納位置にある伸縮式ラッキングハンドルを示す別の斜視図である。図１０に示すように、収縮された伸縮式ラッキングハンドル３０は、遮断器カセット１５のポート２５の内側の収納位置にある。
【００２２】
図１１は、本発明の実施形態において実装可能な、収納された伸縮式ラッキングハンドルを示す別の斜視図である。図１１に示すように、収縮された伸縮式ラッキングハンドル３０は、遮断器カセット１５の内側の収納位置にあり、ユーザが、伸縮式ラッキングハンドル３０を使用する際に、伸縮式ラッキングハンドル３０を把持して、遮断器カセット１５から引っ張り出すことを可能にするために、引っ張りグリップ５５が、ポート２５の外側に出ている。
【００２３】
本発明の一例示的実施形態によれば、伸縮式機構を用いることは、ラッキングハンドルの機械的優位性および強度に影響を及ぼすことなく、収納時のスペースの節約になる。
【００２４】
本発明を例示的実施形態を用いて説明してきたが、当業者には、本発明の本質から逸脱することなく、これらに様々な改変を加えることおよびこれらの構成要素を等価物によって代替することが可能である。さらに、本発明の特許請求の範囲から逸脱することなく、本発明の教示内容を様々に修正することによって特定の条件または材料に適合させることができる。従って本発明は、本開示において最良の実施形態として開示した特定の例示的実施形態にとどまらず、添付の特許請求の範囲が包含するあらゆる実施形態を含むものとする。また、「第１」「第２」といった序数は、順序や重要度を示すものではなく、或る構成要素をその他の構成要素と区別するために用いられている。
【図１】
2009261238.tif 000003
【図２】
2009261238.tif 000004
【図３】
2009261238.tif 000005
【図４】
2009261238.tif 000006
【図５】
2009261238.tif 000007
【図６】
2009261238.tif 000008
【図７】
2009261238.tif 000009
【図８】
2009261238.tif 000010
【図９】
2009261238.tif 000011
【図１０】
2009261238.tif 000012
【図１１】
2009261238.tif 000013